(57)【要約】【課題】  １走査期間内に複数の画素への書き込みを行なう際に発生する色誤差を抑制した液晶表示装置を提供する。【解決手段】  液晶表示装置１００は、マトリクス状に配置された複数の液晶ユニット５を有する。カラー画素４は、ＲＧＢ３色に対応した液晶ユニット５で構成される。駆動回路６は、１走査期間内に、２つのカラー画素４に含まれる液晶ユニット５に供給すべき単色画像データを時分割で出力する。駆動回路６は、カラー画素４内での各色の順序を一定としつつ、カラー画素４への書き込みの順序を２フレームごとに入れ替える。【選択図】    図１
2005141169.tif 000002
【特許請求の範囲】
【請求項１】
マトリックス状に配置され、それぞれが単色を表示する単色画素を３原色分まとめたカラー画素に、対向電極の電位を高電位と低電位との間で切り替えて、液晶に印加する電界の極性を反転させる反転駆動方式で、画像データの書込みを行う液晶表示装置の駆動方法であって、
１走査期間内に、複数（ｎ）のカラー画素に含まれる単色画素に時分割で単色画像データの書き込みを行い、
前記時分割で書込みを行うｎ個のカラー画素に対する書き込み順序を、各カラー画素が１〜ｎ番目までの全ての書込み順序で書き込まれるように、２フレームごとに変更し、
１つのカラー画素に含まれる単色画素の書き込み順序を一定とすることを特徴とする液晶表示装置の駆動方法。
【請求項２】
隣接するライン間では、同じ列のカラー画素の書込み順序が相互に異なる、請求項１に記載の液晶表示装置の駆動方法。
【請求項３】
前記時分割の書込みでは、１つのカラー画素に含まれる単色画素の書込みを連続させる、請求項１又は２に記載の液晶表示装置の駆動方法。
【請求項４】
前記時分割の書込みでは、複数のカラー画素に含まれる同色の単色画素の書込みを連続させる、請求項１又は２に記載の液晶表示装置の駆動方法。
【請求項５】
マトリックス状に配置され、それぞれが単色を表示する単色画素を３原色分まとめたカラー画素に、対向電極の電位を高電位と低電位との間で切り替えて、液晶に印加する電界の極性を反転させる反転駆動方式で、画像データの書込みを行う液晶表示装置の駆動方法であって、
１走査期間内に、２つのカラー画素に含まれる単色画素に時分割で単色画像データの書き込みを行い、
前記２つのカラー画素に対する書き込み順序を２フレームごとに入れ替え、かつ、奇数行と偶数行とで書込み順序を入れ替え、
各カラー画素に含まれる単色画素の書き込み順序を一定とすることを特徴とする液晶表示装置の駆動方法。
【請求項６】
マトリックス状に配置され、それぞれが単色を表示する単色画素を３原色分まとめたカラー画素に、対向電極の電位を高電位と低電位との間で切り替えて、液晶に印加する電界の極性を反転させる反転駆動方式で、画像データの書込みを行う液晶表示装置の駆動方法であって、
複数（ｎ）のカラー画素に含まれる単色画素に時分割で単色画像データの書き込みを行い、
１走査期間内に、各カラー画素ごとに対向電極の前記電位の切替えを行い、
１つのカラー画素に含まれる単色画素の書き込み順序を一定とすることを特徴とする液晶表示装置の駆動方法。
【請求項７】
複数の走査線と複数の信号線との交点に隣接してマトリックス状に配置される単色画素に、対向電極の電位を高電位と低電位との間で切り替えて、液晶に印加する電界の極性を反転させる反転駆動方式で、画像データの書込みを行う液晶表示装置であって、
前記単色画素を３原色分まとめて１つのカラー画素とし、１走査期間内に、複数（ｎ）のカラー画素に含まれる単色画素に対応する単色画像データを時分割で出力し、該単色画像データの出力順序を、各カラー画素が１〜ｎ番目までの全ての書込み順序で書き込まれるように、２フレームごとに変更し、１つのカラー画素に含まれる単色画素に対応する単色画像データの出力順序を一定とする駆動回路と、
前記複数のカラー画素に対応する信号線と前記駆動回路の出力との接続を、前記駆動回路の出力順序に対応して切り替えるセレクタ回路とを備えることを特徴とする液晶表示装置。
【請求項８】
前記駆動回路は、
各カラー画素に書き込むべきカラー画像データをタイミング信号に応答して順次にラッチし、ｎ個のカラー画素に書き込むべきｎ個のカラー画像データを保持するデータラッチ回路と、
前記データラッチ回路に保持されたｎ個のカラー画像データから、前記ｎ個のカラー画素に含まれる単色画素に対応する単色画像データを順次に選択して出力するマルチプレクサと、
前記マルチプレクサから出力された単色画像データをアナログデータに変換するＤ／Ａ変換器とを備える、請求項７に記載の液晶表示装置。
【請求項９】
前記マルチプレクサは、第１の選択信号に応答して、前記データラッチ回路に保持されたｎ個のカラー画像データのうちから１つのカラー画像データを選択し、第２の選択信号に応答して、前記選択された１つのカラー画像データから１つの単色画像データを選択する、請求項８に記載の液晶表示装置。
【請求項１０】
前記マルチプレクサは、第１の選択信号に応答して、前記データラッチ回路に保持されたｎ個のカラー画像データのうちから同じ色のｎ個の単色画像データを選択し、第２の選択信号に応答して、前記選択されたｎ個の単色画像データのうちから１つの単色画像データを選択する、請求項８に記載の液晶表示装置。
【発明の詳細な説明】
【技術分野】
【０００１】
本発明は、液晶表示装置及びその駆動方法に関し、更に詳しくは、駆動回路の１つの出力が複数列の信号線に接続される液晶表示装置、及び、そのような液晶表示装置の駆動方法に関する。
【背景技術】
【０００２】
アクティブマトリクス型の液晶表示装置は、通常、マトリクス状に配置された複数の液晶ユニット（単色画素）を有する。各液晶ユニットは、ＴＦＴ等の能動素子を有し、各能動素子は、行方向に延びる走査線と、列方向に延びる信号線との交点付近に形成されている。液晶表示装置では、各能動素子は、対応する走査線が活性された際に、対応する信号線から入力されたデータ信号に応じた電圧を画素電極に供給する。液晶ユニットでは、画素電極と、液晶ユニットに共通な共通電極との間の電位差に応じた電界が液晶層に印加され、これにより、光の透過量が制御される。各信号線は、ドライバＩＣを含む駆動回路により駆動され、駆動回路は、一般的には、信号線の総数以上の出力端子を備えている。
【０００３】
ところで、近年、低温ポリシリ技術の発達に伴い、液晶表示装置を構成するガラス基板上に、駆動回路の１つの出力端子と、ガラス基板上の複数の信号線とを時分割で接続するセレクタ回路が設けられるようになった。このようなセレクタ回路を用いると、駆動回路の１つの出力によって、複数列の信号線が駆動できるようになり、表示解像度が高い液晶表示装置の場合でも、階調信号を出力するＤ／Ａ変換器の数の増大を抑えることができる。このため、信号線を駆動する回路部分の面積が増大せず、表示解像度が高い液晶表示装置を、低コストで実現できる。また、接続点数を削減することによって、ドライバＩＣの実装上の信頼性を向上できる。
【０００４】
セレクタ回路を有する液晶表示装置に関する技術としては、例えば特許文献１及び特許文献２に記載された技術がある。図１１は、特許文献１に記載された従来の液晶表示装置を示している。この液晶表示装置２００では、信号線駆動回路２０１の各Ｄ／Ａ変換器２１４の１つの出力が、スイッチＡＳＷ１〜ＡＳＷ６を介して６本の信号線Ｓ１〜Ｓ６に接続されており、スイッチＡＳＷ１〜ＡＳＷ６は、何れか１つオンとなるように制御される。液晶ユニット２０５は、ＴＦＴ２０３と画素電極２０４とを含み、信号線Ｓ１〜Ｓ６のそれぞれに時分割で出力された階調信号は、対応する画素電極２０４に書き込まれる。
【０００５】
図１２は、特許文献２に記載された従来の液晶表示装置を示している。この液晶表示装置３００では、信号線駆動用ＩＣ３０１の各出力端子ＯＵＴが、セレクタ回路３０２内のスイッチＳＷによって、２つの信号線の何れかに選択的に接続されるようになっている。信号線駆動用ＩＣ３０１は、１つの出力端子ＯＵＴから、２つの信号線に供給すべき階調信号を時分割で出力する。
【０００６】
一般に、液晶表示装置は、液晶に印加する電界の極性を反転する交流駆動により駆動される。液晶表示装置３００では、図示しないコモン電極に５Ｖの一定電位が与えられており、液晶にプラス極性の電界を印加するときには、信号線に５Ｖを超える電圧の信号が供給され、液晶にマイナス極性の電界を印加するときには、信号線に５Ｖを下回る電圧の信号が供給される。液晶表示装置２００が、画素反転方式によって駆動される場合には、同じフレーム内において、信号線Ｘ１に例えば９Ｖの信号が印加され、信号線Ｘ２には例えば１Ｖの信号が印加される。
【０００７】
液晶表示装置３００では、セレクタ回路３０２のスイッチＳＷの切り替えによって、切り替え前の信号線に接続される画素３０３に書き込んだデータが変動することがある。この問題を解消するために、特許文献２では、例えば、あるフレームにおいて、スイッチＳＷ１１が、出力端子ＯＵＴ１を、信号線Ｘ１、信号線Ｘ２の順に接続するように制御されるときには、スイッチＳＷ１２は、出力端子ＯＵＴ２を、信号線Ｘ４、信号線Ｘ３の順に接続するように制御される。また、そのフレームの次のフレームでは、スイッチＳＷ１１は、出力端子ＯＵＴ１を、信号線Ｘ２、信号線Ｘ１の順で接続するように制御され、スイッチＳＷ１２は、出力端子ＯＵＴ２を、信号線Ｘ３、信号線Ｘ４の順で接続するように制御される。特許文献２では、このようにすることで、各スイッチＳＷの切り替えに伴う信号レベルの変化を平均化して、表示の変動を視認しにくくできるとしている。
【特許文献１】特開２００１−３３７６５７号公報
【特許文献２】特開２００１−１０９４３５号公報
【発明の開示】
【発明が解決しようとする課題】
【０００８】
ここで、液晶表示装置の駆動方式としては、特許文献２でも採用される、コモン電極の電位を一定とする高電位駆動のほかに、低電位駆動による駆動方式がある。低電位駆動方式では、コモン電極の電位を、ある電位を中心電位として、その中心電位よりも低い電位と中心電位よりも高い電位との間で変化するように駆動し、画素電極とコモン電極の間の電位差によって、液晶に電界を印加する。低電位駆動の液晶表示装置は、通常、列反転又はフレーム反転で駆動される。このように、低電位駆動では、コモン電極の電位を変動させて、画素電極とコモン電極の間の電位差を得るため、コモン電極の電位を一定とする高電位駆動に比して、信号線に供給する電位を低く設定できる。
【０００９】
図１３は、低電位駆動で使用されるコモン電極ドライバの回路構成を示している。コモン電極ドライバ４００は、それぞれ信号φ及び／φに応答してオンとなるスイッチＳＷ２１及びＳＷ２２のスイッチングによって、カップリングコンデンサＣ１の充放電が行われ、は、コモン電極の電位を、図１４に示すように、電圧ＶｃｏｍＳを中心として、高電位と低電位との間で切り替える。この切り替えは、１走査期間又は１フレーム期間ごとに行われる。コモン電極の電位は、コンデンサの充放電の影響により、一定電位とはならずに、スイッチＳＷ２１又はＳＷ２２のスイッチング時をｔ＝０、コモン電極容量をＣとすると、τ＝（Ｃ１＋Ｃ）×Ｒを時定数として、
ΔＶｃｏｍ＝｛１−Exp（−ｔ／τ）｝×ＶｃｏｍＳ
で変化する。
【００１０】
特許文献１に低電位駆動についての記載はないが、以下では、図１１に示す液晶表示装置２００を、上記した低電位駆動により駆動する場合について考える。ここでは、信号線Ｓ１、Ｓ４に接続される液晶ユニット２０５は、それぞれ赤を表示する液晶ユニットＲ１、Ｒ２として構成され、信号線Ｓ２、Ｓ５に接続される液晶ユニット２０５は、それぞれ緑を表示する液晶ユニットＧ１、Ｇ２として構成され、信号線Ｓ３、Ｓ６に接続される液晶ユニット２０５は、それぞれ青を表示する液晶ユニットＢ１、Ｂ２として構成されるものとする。
【００１１】
図１５（ａ）及び（ｂ）は、それぞれ、コモン電極と画素電極の電位変化をタイミングチャートとして示している。この例では、Ｎフレーム目（同図（ａ））とＮ＋１フレーム目（同図（ｂ））とにおいて、各液晶ユニット２０５へ、同じレベルの階調信号を書き込んでいる。この例では、Ｎフレーム目では、信号線Ｓ１側から、Ｒ１→Ｇ１→Ｂ１→Ｒ２→Ｇ２→Ｂ２の順で各液晶ユニット２０５へ階調信号を書き込んでいる。
【００１２】
前述のように、各液晶ユニット２０５では、液晶に印加される電界がコモン電極と画素電極の電位差ΔＶで決まる。この電位差ΔＶは、時刻ｔ０側から順次に小さくなり、液晶ユニットＲ１の液晶に印加される電位差ΔＶ１（時刻ｔ１）と、液晶ユニットＢ２の液晶に印加される電位差ΔＶ６（時刻ｔ６）とを比較すると、ΔＶ１＞ΔＶ６となる。このため、同じレベルの階調信号を書き込む場合であっても、図１５（ａ）に示すように、液晶ユニットＲ２、Ｇ２、Ｂ２等の書き込み順が遅い液晶ユニット２０５では、液晶ユニットＲ１、Ｇ１、Ｂ１等の書き込み順が早い液晶ユニット２０５に比して、液晶に印加される電界が弱くなる。この現象は、コモン電極に一定電位が与えられる高電位駆動では発生せず、低電位駆動に特有の現象である。
【００１３】
上記した現象の影響を緩和するために、比較例として、各液晶ユニット２０５への階調信号の書き込み順を、特許文献１に記載されるようにフレームごとに入れ替える場合について考える。この場合、Ｎ＋１フレーム目における液晶ユニット２０５への階調信号の書き込み順は、図１５（ｂ）に示すように、Ｂ２→Ｇ２→Ｒ２→Ｂ１→Ｇ１→Ｒ１となる。
【００１４】
Ｎ＋１フレーム目における階調信号の書き込み順を、Ｎフレーム目における書き込み順とは逆にする場合には、２フレームの平均で考えると、液晶ユニットＲ１の液晶に印加される電位差は（ΔＶ１＋ΔＶ６）／２となり、液晶ユニットＢ２の液晶に印加される電位差は（ΔＶ６＋ΔＶ１）／２となって、信号線Ｓ１〜Ｓ６に接続された各液晶ユニット２０５の液晶に印加される電界はある程度平均化できる。しかし、同じ色について着目すると、例えば液晶ユニットＲ１の液晶に印加される電位差は（ΔＶ１＋ΔＶ６）／２となり、液晶ユニットＲ２の液晶に印加される電位差は（ΔＶ４＋ΔＶ３）／２となって、本来同じレベルの赤色を表示すべき２つの液晶ユニット２０５間に、色誤差が生じるという問題が発生する。
【００１５】
本発明は、低電位駆動で駆動される液晶表示装置であって、観察される色誤差を抑制できる液晶表示装置及びその駆動方法を提供することを目的とする。
【課題を解決するための手段】
【００１６】
上記目的を達成するために、本発明の第１の視点の液晶表示装置の駆動方法は、マトリックス状に配置され、それぞれが単色を表示する単色画素を３原色分まとめたカラー画素に、対向電極の電位を高電位と低電位との間で切り替えて、液晶に印加する電界の極性を反転させる反転駆動方式で、画像データの書込みを行う液晶表示装置の駆動方法であって、１走査期間内に、複数（ｎ）のカラー画素に含まれる単色画素に時分割で単色画像データの書き込みを行い、前記時分割で書込みを行うｎ個のカラー画素に対する書き込み順序を、各カラー画素が１〜ｎ番目までの全ての書込み順序で書き込まれるように、２フレームごとに変更し、１つのカラー画素に含まれる単色画素の書き込み順序を一定とすることを特徴とする。
【００１７】
本発明の第２の視点の液晶表示装置の駆動方法は、マトリックス状に配置され、それぞれが単色を表示する単色画素を３原色分まとめたカラー画素に、対向電極の電位を高電位と低電位との間で切り替えて、液晶に印加する電界の極性を反転させる反転駆動方式で、画像データの書込みを行う液晶表示装置の駆動方法であって、１走査期間内に、２つのカラー画素に含まれる単色画素に時分割で単色画像データの書き込みを行い、前記２つのカラー画素に対する書き込み順序を２フレームごとに入れ替え、かつ、奇数行と偶数行とで書込み順序を入れ替え、各カラー画素に含まれる単色画素の書き込み順序を一定とすることを特徴とする。
【００１８】
本発明の第１及び第２の視点の液晶表示装置の駆動方法では、各カラー画素内での各色の単色画素への書き込み順序を一定としつつ、１走査期間（水平書き込み期間）内での複数のカラー画素への時分割による書き込み順序を２フレームごとに変更して、各カラー画素の書き込み順を一巡させているため、その複数のカラー画素に含まれる同じ色で比較すると、Ｎフレームから、Ｎ＋（２ｎ−１）までの２ｎフレームの平均では、各色の単色画素に書き込まれる信号のレベルを同じにすることができる。このため、複数のカラー画素間の同じ色の表示レベルが異なる事態を回避して、色誤差の少ない液晶表示装置を実現できる。また、書き込み順序の変更を１フレームごとではなく、２フレームごとに行うため、各単色画素に含まれる液晶に直流成分が残りにくく、液晶の寿命を延ばすことができる。
【００１９】
本発明の液晶表示装置の駆動方法では、隣接するライン間では、同じ列のカラー画素の書込み順序が相互に異なることが好ましい。この場合、書き込み順序の差によって生じる表示の明暗の差を画像空間に分散することができる。
【００２０】
本発明の液晶表示装置の駆動方法では、前記時分割の書込みでは、１つのカラー画素に含まれる単色画素の書込みを連続させる構成を採用することができ、或いは、複数のカラー画素に含まれる同色の単色画素の書込みを連続させる構成を採用することができる。例えば複数のカラー画素を画素Ａ、画素Ｂ、画素Ｃとし、それぞれの単色画素をｒ、ｇ、ｂとしたとき、時分割書き込みでは、１つのカラー画素内に含まれる単色画素の書き込みを連続させて、Ａｒ→Ａｇ→Ａｂ→Ｂｒ→Ｂｇ→Ｂｂ→Ｃｒ→Ｃｇ→Ｃｂの順で書き込むことができ、或いは、複数のカラー画素に含まれる同色の単色画素の書き込みを連続させて、Ａｒ→Ｂｒ→Ｃｒ→Ａｇ→Ｂｇ→Ｃｇ→Ａｂ→Ｂｂ→Ｃｂの順で書き込むことができる。
【００２１】
本発明の第３の視点の液晶表示装置の駆動方法は、マトリックス状に配置され、それぞれが単色を表示する単色画素を３原色分まとめたカラー画素に、対向電極の電位を高電位と低電位との間で切り替えて、液晶に印加する電界の極性を反転させる反転駆動方式で、画像データの書込みを行う液晶表示装置の駆動方法であって、複数（ｎ）のカラー画素に含まれる単色画素に時分割で単色画像データの書き込みを行い、１走査期間内に、各カラー画素ごとに対向電極の前記電位の切替えを行い、１つのカラー画素に含まれる単色画素の書き込み順序を一定とすることを特徴とする。
【００２２】
本発明の第３の視点の液晶表示装置の駆動方法では、各カラー画素内での各色の単色画素への書き込み順序を一定としつつ、１走査期間内で、カラー画素ごとに対向電極に印加する電位を、高電位と低電位との間で切り替えているため、複数のカラー画素に含まれる同じ色で比較すると、各色の単色画素に書き込まれる信号のレベルを同じにすることができる。このため、複数のカラー画素間の同じ色の表示レベルが異なる事態を回避して、色誤差の少ない液晶表示装置を実現できる。
【００２３】
本発明の液晶表示装置は、複数の走査線と複数の信号線との交点に隣接してマトリックス状に配置される単色画素に、対向電極の電位を高電位と低電位との間で切り替えて、液晶に印加する電界の極性を反転させる反転駆動方式で、画像データの書込みを行う液晶表示装置であって、前記単色画素を３原色分まとめて１つのカラー画素とし、１走査期間内に、複数（ｎ）のカラー画素に含まれる単色画素に対応する単色画像データを時分割で出力し、該単色画像データの出力順序を、各カラー画素が１〜ｎ番目までの全ての書込み順序で書き込まれるように、２フレームごとに変更し、１つのカラー画素に含まれる単色画素に対応する単色画像データの出力順序を一定とする駆動回路と、前記複数のカラー画素に対応する信号線と前記駆動回路の出力との接続を、前記駆動回路の出力順序に対応して切り替えるセレクタ回路とを備えることを特徴とする。
【００２４】
本発明の液晶表示装置では、駆動回路によって、各カラー画素内での各色の単色画素への書き込み順序を一定としつつ、１走査期間内での複数のカラー画素への時分割による書き込み順序を２フレームごとに変更して、各カラー画素の書き込み順を一巡しているため、その複数のカラー画素に含まれる同じ色で比較すると、Ｎフレームから、Ｎ＋（２ｎ−１）までの２ｎフレームの平均では、各色の単色画素に書き込まれる信号のレベルを同じにすることができる。このため、複数のカラー画素間の同じ色の表示レベルが異なる事態を回避して、色誤差の少ない液晶表示装置を実現できる。また、駆動回路による書き込み順序の変更を１フレームごとではなく、２フレームごとに行うため、各単色画素に含まれる液晶に直流成分が残りにくく、液晶の寿命を延ばすことができる。
【００２５】
本発明の液晶表示装置では、前記駆動回路を、各カラー画素に書き込むべきカラー画像データをタイミング信号に応答して順次にラッチし、ｎ個のカラー画素に書き込むべきｎ個のカラー画像データを保持するデータラッチ回路と、前記データラッチ回路に保持されたｎ個のカラー画像データから、前記ｎ個のカラー画素に含まれる単色画素に対応する単色画像データを順次に選択して出力するマルチプレクサと、前記マルチプレクサから出力された単色画像データをアナログデータに変換するＤ／Ａ変換器とによって構成することができる。
【００２６】
本発明の液晶表示装置では、前記マルチプレクサは、第１の選択信号に応答して、前記データラッチ回路に保持されたｎ個のカラー画像データから１つのカラー画像データを選択し、第２の選択信号に応答して、前記選択された１つのカラー画像データから１つの単色画像データを選択する構成とすることができる。
【００２７】
本発明の液晶表示装置では、前記マルチプレクサは、第１の選択信号に応答して、前記データラッチ回路に保持されたｎ個のカラー画像データ内から同じ色のｎ個の単色画像データを選択し、第２の選択信号に応答して、前記選択されたｎ個の単色画像データから１つの単色画像データを選択する構成とすることができる。
【発明の効果】
【００２８】
本発明の液晶表示装置及びその駆動方法は、１走査期間内に書き込まれる複数のカラー画素に含まれる同じ色で比較すると、単色画素に書き込まれる信号のレベルを複数のカラー画素間で同じにすることができ、複数のカラー画素間の同じ色の表示レベルが異なる事態を回避して、色誤差の少ない液晶表示装置を実現できる。また、書き込み順序の変更を２フレームごとに行うため、各単色画素に含まれる液晶に直流成分が残りにくく、液晶の寿命を延ばすことができる。
【発明を実施するための最良の形態】
【００２９】
以下、図面を参照し、本発明の実施形態例に基づいて、本発明を更に詳細に説明する。
【００３０】
第１実施形態例
図１は、本発明の第１実施形態例の液晶表示装置の構成を示している。この液晶表示装置１００は、ｎ本の走査線Ｇｉ（ｉ：１〜ｎ）と、３ｍ本の信号線Ｓｊ（ｊ：１〜３ｍ）と、液晶ユニット５と、駆動回路６と、コモン電極７と、セレクタ回路８とを備える。各液晶ユニット５は、各走査線Ｇｉと各信号線Ｓｊとの交点付近に形成される。各液晶ユニット５では、各液晶ユニット５内の図示しない画素電極と、各液晶ユニット５に共通のコモン電極７とによって、液晶に電界が印加される。コモン電極７には、駆動回路６から、低電位と高電位との間で切り替えられる電位が供給される。
【００３１】
液晶表示装置１００は、カラー表示を行うカラー液晶表示装置として構成される。液晶表示装置１００では、信号線Ｓ１、Ｓ４、Ｓ７、・・・に接続される液晶ユニット５は、赤（Ｒ）を表示する単色画素として構成される。また、信号線Ｓ２、Ｓ５、Ｓ８、・・・に接続される液晶ユニット５は、緑（Ｇ）を表示する単色画素として構成され、信号線Ｓ３、Ｓ６、Ｓ９、・・・に接続される液晶ユニット５は、青（Ｂ）を表示する単色画素として構成される。隣接して配置される赤を表示する液晶ユニット５、緑を表示する液晶ユニット５、及び、青を表示する液晶ユニット５は、それら３つの液晶ユニット５によって、１つのカラー画素４を形成し、液晶表示装置１００は、ｎ行×ｍ列のカラー画素４を有する。
【００３２】
駆動回路６は、各液晶ユニット５が表示すべき階調に応じた階調信号を、セレクタ回路８を介して、対応するデータ線Ｓに向けて出力する。駆動回路６の１つの出力端子は、セレクタ回路８内の対応するスイッチＳＷを介して、複数の信号線Ｓに接続される。図１の例では、駆動回路６の１つの出力端子は、１行につき、２つのカラー画素４に対応する計６本の信号線Ｓに接続される。駆動回路６は、１つの出力端子から、接続された複数の信号線Ｓのそれぞれに供給すべき階調信号を時分割で出力する。走査線Ｇには、走査線Ｇ１側から順次に活性化されるパルス状の走査信号が供給される。各液晶ユニット５では、対応する走査線Ｇから入力する走査信号が活性化された際に、対応する信号線Ｓから供給される階調信号に基づく電圧が画素電極に供給される。
【００３３】
図２は、駆動回路６の構成をブロック図で示している。駆動回路６は、コントローラ１０、シフトレジスタ１１、データラッチ部１２、選択部１３、Ｄ／Ａ変換部１４、及び、コモン電極制御部１５を備える。シフトレジスタ１１は、ｍ段のシフトレジスタ１１（１）〜１１（ｍ）から成る。データラッチ部１２は、２つのカラー画素４に対応する分のＲＧＢデータを保持するデータ保持部２１をｍ／２個有し、選択部１３は、６つの入力端子と１つの出力端子とを備え、入力する６つのデータを時分割で出力する選択回路３１をｍ／２個有し、Ｄ／Ａ変換部１４は、デジタルデータをアナログ値に変換するＤ／Ａ変換器４１をｍ／２個有する。
【００３４】
コントローラ１０は、シフトレジスタ１１の先頭にスタートパルスを送信する。シフトレジスタ１１は、データ保持部２１におけるデータ取り込みのタイミングを定めるクロック信号を生成する。コントローラ１０は、データラッチ部１２に、信号線Ｓ１〜Ｓ３ｍ（図１）に出力する階調信号の基となるデジタル階調データを、信号線Ｓ１側から順次に時分割で出力する。その際、コントローラ１０は、１つのカラー画素４に関するＲＧＢ３つデジタル階調データを同じタイミングで出力する。各データ保持部２１は、それぞれ、シフトレジスタ１１から入力する２つのパルス信号に応答して、２つのカラー画素４に関するＲＧＢそれぞれのデジタル階調データをラッチする。各データ保持部２１は、それぞれ、計６つのデジタル階調データを保持する。
【００３５】
各選択回路３１は、それぞれ、対応するデータ保持部２１でラッチされた、２つのカラー画素４に関するデジタル階調データを入力し、コントローラ１０から入力する選択信号に基づいて、２つのうちの何れかのカラー画素４に関する、ＲＧＢのデジタル階調データを、Ｒのデジタル階調データ、Ｇのデジタル階調データ、及び、Ｂデジタル階調データの順に、対応するＤ／Ａ変換器４１に１つずつ出力する。各Ｄ／Ａ変換器４１は、それぞれ、入力されたデジタル階調データをアナログに変換し、デジタル階調データがアナログ変換された階調信号を、セレクタ回路８（図１）に出力する。コモン電極制御部１５は、例えば図１３に示すコモン電極ドライバと同様な回路によって構成され、コントローラ１０から入力するコモン電極制御信号に基づいて、コモン電極７に供給する電位を、低電位と高電位との間で切り替える。
【００３６】
図３は、駆動回路６の一部の構成を示している。同図に示す構成は、図２中の点線で囲んだ部分の構成に相当する。なお、図２に示すシフトレジスタ１１（１）は、図３中に示す前段のシフトレジスタ１１ａに相当し、シフトレジスタ１１（２）は、後段のシフトレジスタ１１ｂに相当する。データ保持部２１は、６つのラッチ回路２２（１）〜（６）を有する。データ保持部２１では、ラッチ回路２２（１）〜（３）は、前段のシフトレジスタ１１ａによって規定されるタイミングで、コントローラ１０（図２）から出力されるＲＧＢ３つのデジタル階調データをラッチする。また、ラッチ回路２２（４）〜（６）は、後段のシフトレジスタ１１ｂによって規定されるタイミングで、コントローラ１０から出力されるＲＧＢ３つのデジタル階調データをラッチする。
【００３７】
選択回路３１は、マルチプレクサ３２と、ラッチ回路３３（１）〜（３）と、セレクタ３４とを備える。マルチプレクサ３２は、６入力・３出力のマルチプレクサとして構成され、その６つの入力端子は、それぞれ、データ保持部２１の６つのラッチ回路２２（１）〜（６）に接続される。マルチプレクサ３２がどのデータを出力するかは、コントローラ１０から入力する第１選択信号に基づいて決定される。データ保持部２１のラッチ回路２２（１）〜（３）によって、前段のシフトレジスタ１１ａのタイミングでラッチされるＲＧＢ３つのデータを画素Ａに関するデータとし、ラッチ回路２２（４）〜（６）によって、後段のシフトレジスタ１１ｂのタイミングでラッチされるＲＧＢ３つのデータを画素Ｂに関するデータとすると、マルチプレクサ３２は、コントローラ１０から入力する第１選択信号に基づいて、画素Ａに対応するＲＧＢ３つのデータ、又は、画素Ｂに対応するＲＧＢ３つのデータを、選択的に出力する。
【００３８】
ラッチ回路３３（１）〜（３）は、それぞれ、マルチプレクサ３２から出力される、画素Ａに関するＲＢＧ３つのデータ、又は、画素Ｂに関するＲＧＢ３つのデータを、コントローラ１０から入力するラッチタイミング信号のタイミングでラッチする。セレクタ３４は、３入力・１出力のセレクタとして構成される。セレクタ３４の３つの入力端子は、それぞれ、ラッチ回路３３（１）〜３３（３）に接続され、出力端子は、Ｄ／Ａ変換器４１に接続される。セレクタ３４が何れのデータを出力するかは、コントローラ１０から入力する第２選択信号に基づいて決定される。セレクタ３４には、３つの入力データを、順次に出力させる第２選択信号が入力され、セレクタ３４は、ラッチ回路３３（１）〜（３）から入力する、画素Ａ又は画素Ｂに関するＲＧＢ３つのデータを、Ｄ／Ａ変換器４１に、順次に１つずつ出力する。
【００３９】
各Ｄ／Ａ変換器４１は、入力するデジタル階調データをアナログ変換して、アナログ変換された階調信号をセレクタ回路８（図１）に向けて出力する。各Ｄ／Ａ変換器４１には、コントローラ１０から極性切替信号が入力されており、各Ｄ／Ａ変換器４１は、極性切替信号に基づいて、液晶をプラス極性で駆動する際の階調信号、又は、液晶をマイナスの極性で駆動する際の階調信号を出力する。各Ｄ／Ａ変換器路４１からは、画素Ａ及び画素Ｂに関するＲＧＢ３つのアナログ階調信号、つまり、計６つの階調信号が時分割で出力される。
【００４０】
図４は、Ｎフレーム目における液晶表示装置１００の駆動をタイミングチャートとして示している。この例では、液晶表示装置１００は、行ごとに液晶に印加する電界の極性を反転する行反転で駆動される。なお、同図では、１行目及び２行目についての、信号線Ｓ１〜Ｓ６の駆動について示しているが、他の奇数行における駆動は、１行目の駆動と同様であり、他の偶数行における駆動は、２行目の駆動と同様である。また、各行における、信号線Ｓ７以降の、信号線Ｓ（６ｋ＋１）〜Ｓ（６ｋ＋６）（ｋ：１〜（ｍ／２）−１）の駆動については、信号線Ｓ１〜Ｓ６の駆動と同様である。信号線Ｓ１〜Ｓ３に接続される液晶ユニット５により構成されるカラー画素４は、上述の画素Ａに相当し、信号線Ｓ４〜Ｓ６に接続される液晶ユニット５により構成されるカラー画素４は、上述の画素Ｂに相当する。
【００４１】
駆動回路６では、ゲート線Ｇ１がＨレベルとなる前に、データ保持部２１（図３）によって、１行目の画素Ａ及び画素Ｂに関するＲＢＧ３つのデジタル階調データをラッチしている。駆動回路６がＮフレーム目の１行目に対応する階調信号を出力する際には、マルチプレクサ３２は、画素Ａに関するＲＧＢ３つのデジタル階調データ、及び、画素Ｂに関するＲＧＢ３つのデジタル階調データを順次にこの順で出力するように制御され、セレクタ３４は、Ｒに対応するデジタル階調データ、Ｇに対応するデジタル階調データ、及び、Ｂに対応するデジタル階調データを順次にこの順で出力するように制御される。これにより、Ｄ／Ａ変換器４１からは、Ｎフレーム目の１行目では、液晶に印加する電界の極性がプラスであるとすると、各液晶ユニット５の液晶をプラス極性で駆動する際の、画素Ａに関するＲの階調信号、画素Ａに関するＧの階調信号、画素Ａに関するＢの階調信号、画素Ｂに関するＲの階調信号、画素Ｂに関するＧの階調信号、及び、画素Ｂに関するＢの階調信号が順次にこの順で出力される。
【００４２】
走査線Ｇ１がＨレベルとなり、Ｎフレーム目において、１行目の信号線Ｓ１〜Ｓ３ｍに接続された液晶ユニット５に階調信号の書き込みが行われる際には、コモン電極制御部１５（図２）は、コモン電極に低電位側の電位を供給する。Ｄ／Ａ変換器４１は、上記のように、画素Ａに対応するＲＧＢ３つのアナログ階調信号を、Ｒ側から１つずつ順次にこの順で出力し、更に、画素Ｂに対応するＲＧＢ３つの階調信号を、Ｒ側から１つずつ順次にこの順で出力する。セレクタ回路８は、Ｄ／Ａ変換器４１の出力に同期して、スイッチＳＷを、ＳＷ１、ＳＷ２、ＳＷ３、ＳＷ４、ＳＷ５、ＳＷ６の順でオンにし、対応する信号線Ｓに、対応する階調信号を供給する。これにより、画素Ａ及び画素Ｂの各色に対応する液晶ユニット５には、対応する階調信号が書き込まれる。
【００４３】
駆動回路６では、ゲート線Ｇ２がＨレベルとなる前に、データ保持部２１によって、２行目の画素Ａ及び画素Ｂに関するＲＢＧ３つのデジタル階調データをラッチしている。駆動回路６がＮフレーム目の２行目に対応する階調信号を出力する際には、マルチプレクサ３２は、画素Ｂに関するＲＧＢ３つのデジタル階調データ、及び、画素Ａに関するＲＧＢ３つのデジタル階調データを順次にこの順で出力するように制御され、セレクタ３４は、Ｒに対応するデジタル階調データ、Ｇに対応するデジタル階調データ、及び、Ｂに対応するデジタル階調データを順次にこの順で出力するように制御される。Ｎフレーム目の２行目では、液晶に印加する電界の極性がマイナスである。Ｄ／Ａ変換器４１からは、画素Ａと画素Ｂとの出力順が入れ替えられ、各液晶ユニット５の液晶をマイナス極性で駆動する際の、画素Ｂに関するＲの階調信号、画素Ｂに関するＧの階調信号、画素Ｂに関するＢの階調信号、画素Ａに関するＲの階調信号、画素Ａに関するＧの階調信号、及び、画素Ａに関するＢの階調信号が順次にこの順で出力される。
【００４４】
走査線Ｇ２がＨレベルとなり、Ｎフレーム目において、２行目の信号線Ｓ１〜Ｓ３ｍに接続された液晶ユニット５に階調信号の書き込みが行われる際には、コモン電極制御部１５は、コモン電極７に高電位側の電位を供給する。Ｄ／Ａ変換器４１は、上記のように、１行目とは画素の順序を入れ替えて、画素Ｂに関するＲＧＢ３つのアナログ階調信号を、Ｒ側から１つずつ順次にこの順で出力し、更に、画素Ａに関するＲＧＢ３つの階調信号を、Ｒ側から１つずつ順次にこの順で出力する。セレクタ回路８は、Ｄ／Ａ変換器４１の出力に同期して、スイッチＳＷを、ＳＷ４、ＳＷ５、ＳＷ６、ＳＷ１、ＳＷ２、ＳＷ３の順でオンにし、対応する信号線Ｓに、対応する階調信号を供給する。これにより、画素Ａ及び画素Ｂの各色に対応する液晶ユニット５には、対応する階調信号が書き込まれる。
【００４５】
Ｎ＋１フレーム目の各行では、駆動回路６による階調信号の出力順、及び、セレクタ回路８でのスイッチＳＷをオンにする順序は、Ｎフレーム目の各行と同様であるが、液晶に印加する極性が反転される。つまり、Ｎ＋１フレーム目の１行目では、駆動回路６は、コモン電極７に高電位側の電位を供給し、セレクタ回路８に、各液晶ユニット５の液晶をマイナス極性で駆動する際の、画素Ａ及び画素Ｂに関するＲＧＢ３つの階調信号を時分割で出力する。また、２行目では、駆動回路６は、コモン電極７に低電位側の電位を供給し、セレクタ回路８に、各液晶ユニット５の液晶をプラス極性で駆動する際の、画素Ａ及び画素Ｂに関するＲＧＢ３つの階調信号を出力する。
【００４６】
図５は、Ｎ＋２フレーム目における液晶表示装置１００の駆動をタイミングチャートとして示している。Ｎ＋２フレーム目では、各行において液晶に印加する電界の極性はＮフレームと同様であり、駆動回路６による階調信号の出力順、及び、セレクタ回路８でのスイッチＳＷをオンにする順序がＮフレーム目とは異なる。Ｎ＋２フレーム目の１行目では、Ｎフレーム目の２行目と同様に、各液晶ユニット５の液晶をプラス極性で駆動する際の、画素Ｂに関するＲＧＢ３つのアナログ階調信号を、Ｒ側から１つずつ順次にこの順で出力し、更に、画素Ａに関するＲＧＢ３つの階調信号を、Ｒ側から１つずつ順次にこの順で出力する。また、セレクタ回路８は、Ｄ／Ａ変換器４１の出力に同期して、スイッチＳＷを、ＳＷ４、ＳＷ５、ＳＷ６、ＳＷ１、ＳＷ２、ＳＷ３の順でオンする。
【００４７】
Ｎ＋２フレーム目の２行目では、Ｎフレーム目の１行目と同様に、各液晶ユニット５の液晶をマイナス極性で駆動する際の、画素Ａに関するＲＧＢ３つのアナログ階調信号を、Ｒ側から１つずつ順次にこの順で出力し、更に、画素Ｂに関するＲＧＢ３つの階調信号を、Ｒ側から１つずつ順次にこの順で出力する。また、セレクタ回路８は、Ｄ／Ａ変換器４１の出力に同期して、スイッチＳＷを、ＳＷ１、ＳＷ２、ＳＷ３、ＳＷ４、ＳＷ５、ＳＷ６の順でオンする。Ｎ＋３フレーム目の各行では、Ｎフレーム目とＮ＋１フレーム目の関係と同様に、駆動回路６による階調信号の出力順、及び、セレクタ回路８でのスイッチＳＷをオンにする順序は、Ｎ＋２フレーム目の各行と同様であるが、液晶に印加する極性が反転される。
【００４８】
図６（ａ）及び（ｂ）は、それぞれ、コモン電極と画素電極の電位変化をタイミングチャートとして示している。同図（ａ）は、Ｎフレーム目の液晶ユニット５への階調信号の書き込みを表しており、同図（ｂ）は、Ｎ＋２フレーム目の液晶ユニット５への階調信号の書き込みを表している。
【００４９】
なお、この例では、Ｎフレーム目とＮ＋２フレーム目とにおいて、各液晶ユニット５へ、同じレベルの階調信号を書き込でいる。また、以下では、信号線Ｓ１に接続される液晶ユニット５を液晶ユニットＡｒとし、信号線Ｓ２に接続される液晶ユニット５を液晶ユニットＡｇとし、信号線Ｓ３に接続される液晶ユニット５を液晶ユニットＡｂとする。また、信号線Ｓ４に接続される液晶ユニット５を液晶ユニットＢｒとし、信号線Ｓ５に接続される液晶ユニット５を液晶ユニットＢｇとし、信号線Ｓ１に接続される液晶ユニット５を液晶ユニットＢｂとする。
【００５０】
前述のように、各液晶ユニット５では、液晶に印加される電界の大きさが、コモン電極７と画素電極の電位差ΔＶで決まる。Ｎフレーム目では、図６（ａ）に示すように、Ａｒ→Ａｇ→Ａｂ→Ｂｒ→Ｂｇ→Ｂｂの順で階調信号の書き込みが行われ、各液晶ユニット５の液晶に印加される電界の大きさは、時間経過と共に小さくなる。Ｎ＋１フレーム目では、Ｎフレーム目とは、液晶に印加される電界の極性が反転されるが、各液晶ユニット５に印加される電界の大きさは、Ｎフレーム目と同様である。
【００５１】
Ｎ＋２フレーム目では、図６（ｂ）に示すように、Ｂｒ→Ｂｇ→Ｂｂ→Ａｒ→Ａｇ→Ａｂの順で階調信号の書き込みが行われ、各液晶ユニット５の液晶に印加される電界の大きさは、Ｎ＋１フレーム目と同様に、時間経過と共に小さくなる。Ｎ＋３フレーム目では、Ｎ＋１フレーム目とは、液晶に印加される電界の極性が反転されるが、各液晶ユニット５に印加される電界の大きさは、Ｎフレーム目と同様である。
【００５２】
例えば同じ色を表示する液晶ユニットＡｒと液晶ユニットＢｒとに着目すると、Ｎフレーム目及びＮ＋１における液晶ユニットＡｒの液晶に印加される電位差は、それぞれΔＶ１であり、液晶ユニットＢｒの液晶に印加される電位差は、それぞれΔＶ４である。また、Ｎ＋２フレーム目及びＮ＋３フレーム目における液晶ユニットＡｒの液晶に印加される電位差は、それぞれΔＶ４であり、液晶ユニットＢｒの液晶に印加される電位差は、それぞれΔＶ１である。Ｎフレーム目からＮ＋３フレーム目までの４フレームの平均を考えると、液晶ユニットＡｒの液晶に印加される電位差は、（ΔＶ１×２＋ΔＶ３×２）／４であり、液晶ユニットＢｒの液晶に印加される電位差は、（ΔＶ３×２＋ΔＶ１×２）／４であり、両者は等しい。
【００５３】
本実施形態例では、Ｎフレーム目とＮ＋２フレーム目とにおいて、カラー画素４を単位として、階調信号の書き込み順を変更しているが、同じカラー画素４内では、ＲＧＢの書き込み順を変更していない。これにより、４フレームの平均をとると、上記のように、液晶ユニットＡｒの液晶に印加される電界の大きさと、液晶ユニットＢｒの液晶に印加される電界の大きさが同じとなり、４フレーム平均の画素Ａにおける赤の表示レベルと、画素Ｂにおける赤の表示レベルとを等しくすることができる。このように、本実施形態例では、駆動回路６の１つの出力端子を、各行において複数のカラー画素４に接続して、駆動回路部分のチップ面積のシュリンク化、つまり、低コスト化を可能にしつつ、複数のカラー画素４間の色誤差が視認されにくい、表示品質の高い液晶表示装置を実現できる。
【００５４】
図６から判るように、同じカラー画素４内では、例えば、赤を表示する液晶ユニットＡｒの液晶に印加される電位差は、青を表示する液晶ユニットＡｂの液晶に印加される電位差に比して大きくなる。しかし、両者は、表示すべき色が違うために、液晶ユニットＡｒと液晶ユニットＡｂとでは、表示レベルが異なったとしても色誤差が視認されにくい。これに対し、隣接するカラー画素４において、本来表示すべき表示レベルが同じ液晶ユニット５同士が、異なる表示レベルとなると、色誤差が視認されやすい。本実施形態例では、駆動回路６の１つの出力端子が、各行において、複数のカラー画素４に共通に接続されるとき、２フレームごとに、カラー画素４への階調信号の書き込み順序を入れ替えるようにし、かつ、各カラー画素４内では、ＲＧＢに対応する階調信号の書き込み順序を同じにするようにしているため、複数のカラー画素４において、色ごとに比較した場合の各色の平均の表示レベルが同じとなって、色誤差が観察されにくい。
【００５５】
また、本実施形態例では、階調信号の書き込み順序の入れ替えを２フレームごとに行う構成を採用している。比較例として、階調信号の書き込み接続順序の入れ替えを１フレームごとに行う場合について考えると、例えば液晶ユニットＡｒの液晶は、Ｎフレーム目では、プラス極性の電位差ΔＶ１（図６（ａ））で駆動され、Ｎ＋１フレーム目では、マイナス極性の電位差ΔＶ４で駆動されることになる。この場合、液晶の駆動電圧を比較すると、ΔＶ１＞ΔＶ４であるため、ΔＶ１−ΔＶ４に相当する電界が直流成分として残ることになる。これに対し本実施形態例では、例えば液晶ユニットＡｒの液晶は、Ｎフレーム目では、プラス極性の電位差ΔＶ１で駆動され、Ｎ＋１フレーム目では、マイナス極性の電位差ΔＶ１で駆動され、Ｎ＋２フレーム目では、プラス極性の電位差ΔＶ４で駆動され、Ｎ＋３フレーム目では、マイナス極性の電位差ΔＶ４で駆動されることとなり、プラス極性の駆動をマイナス極性の駆動で打ち消すことが可能となる。このため、液晶に直流成分が残りにくく、液晶の寿命が短くなる事態を回避することができる。
【００５６】
第２実施形態例
図７は、Ｎフレーム目における本発明の第２実施形態例の液晶表示装置１００ａの駆動をタイミングチャートとして示している。また、図８は、Ｎ＋２フレーム目における液晶表示装置１００ａの駆動をタイミングチャートとして示している。本実施形態例の液晶表示装置１００ａは、図１に示す第１実施形態例の液晶表示装置１００と同様な構成を有する。本実施形態例では、Ｄ／Ａ変換器４１が階調信号を出力する順序、及び、セレクタ回路８のスイッチＳＷがオンとなる順序が、第１実施形態例と異なる。本実施形態例の液晶表示装置１００ａは、例えば、マルチプレクサ３２（図３）を６入力・２出力のマルチプレクサとして構成し、２つのラッチ回路３３によって保持された各カラー画素４の同じ色に対応するデジタル階調データを、２入力・１出力として構成されるセレクタ３４から出力することで実現できる。
【００５７】
Ｎフレーム目の１行目では、Ｄ／Ａ変換器４１は、画素Ａに関するＲの階調信号、画素Ｂに関するＲの階調信号、画素Ａに関するＧの階調信号、画素Ｂに関するＧの階調信号、画素Ａに関するＢの階調信号、及び、画素Ｂに関するＢの階調信号を順次にこの順で出力する。また、セレクタ回路８内のスイッチＳＷは、図７に示すように、スイッチＳＷ１、ＳＷ４、ＳＷ２、ＳＷ５、ＳＷ３、ＳＷ６の順でオンとなる。Ｎフレーム目の２行目では、Ｄ／Ａ変換器４１は、画素Ｂに関するＲの階調信号、画素Ａに関するＲの階調信号、画素Ｂに関するＧの階調信号、画素Ａに関するＧの階調信号、画素Ｂに関するＢの階調信号、及び、画素Ａに関するＢの階調信号を順次にこの順で出力し、スイッチＳＷは、スイッチＳＷ４、ＳＷ１、ＳＷ５、ＳＷ２、ＳＷ６、ＳＷ３の順でオンとなる。
【００５８】
Ｎ＋２フレーム目の１行目では、Ｄ／Ａ変換器４１は、Ｎフレーム目とは画素の順序を入れ替えて、画素Ｂに関するＲの階調信号、画素Ａに関するＲの階調信号、画素Ｂに関するＧの階調信号、画素Ａに関するＧの階調信号、画素Ｂに関するＢの階調信号、及び、画素Ａに関するＢの階調信号を順次にこの順で出力する。また、セレクタ回路８内のスイッチＳＷは、図８に示すように、スイッチＳＷ４、ＳＷ１、ＳＷ５、ＳＷ２、ＳＷ６、ＳＷ３となる。Ｎフレーム目の２行目では、Ｄ／Ａ変換器４１は、画素Ａに関するＲの階調信号、画素Ｂに関するＲの階調信号、画素Ａに関するＧの階調信号、画素Ｂに関するＧの階調信号、画素Ａに関するＢの階調信号、及び、画素Ｂに関するＢの階調信号を順次にこの順で出力し、スイッチＳＷは、スイッチＳＷ１、ＳＷ４、ＳＷ２、ＳＷ５、ＳＷ３、ＳＷ６の順でオンの順でオンとなる。
【００５９】
本実施形態例では、Ｎフレーム目とＮ＋２フレーム目とにおいて、同じカラー画素４内のＲＧＢの書き込みは入れ替えずに、複数のカラー画素４の各色に対応する液晶ユニット５に階調信号を交互に書き込む構成を採用している。この場合にも、第１実施形態例と同様に、４フレームの平均をとると、例えば液晶ユニットＡｒの液晶に印加される電界の大きさと、液晶ユニットＢｒの液晶に印加される電界の大きさが同じとなり、４フレーム平均の画素Ａにおける赤の表示レベルと、画素Ｂにおける赤の表示レベルとを等しくすることができる。このため、第１実施形態例と同様な効果を得ることができる。
【００６０】
第３実施形態例
図９は、Ｎフレーム目における本発明の第３実施形態例の液晶表示装置１００ｂの駆動をタイミングチャートとして示している。また、図１０は、Ｎ＋１フレーム目における液晶表示装置１００ｂの駆動をタイミングチャートとして示している。本実施形態例の液晶表示装置１００ｂは、図１に示す第１実施形態例の液晶表示装置１００と同様な構成を有する。本実施形態例の液晶表示装置では、各フレームにおいて、階調信号のカラー画素４への書き込み順序は入れ替えないが、コモン電極７の電位を、書き込み期間の半分で低電位側から高電位側、又は、その逆に切り替えることにより、色誤差を抑制する。
【００６１】
Ｄ／Ａ変換器４１は、各フレームの各行において、画素Ａに関するＲの階調信号、画素Ａに関するＧの階調信号、画素Ａに関するＢの階調信号、画素Ｂに関するＲの階調信号、画素Ｂに関するＧの階調信号、及び、画素Ｂに関するＢの階調信号を順次にこの順で出力する。また、セレクタ回路８内のスイッチＳＷは、図９及び図１０に示すように、各フレームの各行において、スイッチＳＷ１、ＳＷ２、ＳＷ３、ＳＷ４、ＳＷ５、ＳＷ６の順でオンとなる。
【００６２】
各走査線ＧのＨレベル期間（書き込み期間）は、前半と後半との２つの期間に２等分に分割され、コモン電極制御部１５は、前半と後半とで、コモン電極７に供給する電位を切り替える。コモン電極制御部１５は、例えば、書き込み期間の前半でコモン電極７に低電位側の電位を供給していたときには、書き込み期間の後半では、コモン電極７に高電位側の電位を供給する。また、コモン電極制御部１５は、フレームごとに、コモン電極７に供給する電位を入れ替える。コモン電極制御部１５は、例えば、Ｎフレーム目において、図９に示すように、書き込み期間の前半に、コモン電極７に低電位側の電位を供給していたときには、Ｎ＋１フレーム目では、図１０に示すように、書き込み期間の前半では、コモン電極７に高電位側の電位を供給する。
【００６３】
本実施形態例では、各フレームの各行において、書き込み期間の前半と後半とでは、コモン電極７に供給される電位が入れ替えられる。この場合には、各フレームの各行において、極性は反転するが、例えば液晶ユニットＡｒの液晶に印加される電界の大きさと、液晶ユニットＢｒの液晶に印加される電界の大きさが同じとなり、画素Ａにおける赤の表示レベルと、画素Ｂにおける赤の表示レベルとを等しくすることができる。また、フレームごとに、コモン電極７に供給する電位を入れ替えており、液晶には前述の直流成分が残らない。このため、第１実施形態例と同様な効果を得ることができる。
【００６４】
本実施形態例の液晶表示装置１００ｂでは、例えばＮフレーム目において、信号線Ｓ１〜Ｓ３に接続される奇数列のカラー画素４がプラス極性で駆動され、信号線Ｓ４〜Ｓ６に接続される偶数列のカラー画素４がマイナス極性で駆動され、また、Ｎ＋１フレーム目においては、奇数列のカラー画素４画素５がマイナス極性で駆動され、偶数列のカラー画素４がプラス極性で駆動される。このように、本実施形態例では、低電位駆動の液晶表示装置を、カラー画素４を単位とした列反転により駆動することができる。
【００６５】
なお、上記実施形態例では、信号線Ｓ１、Ｓ４、Ｓ７、・・・に接続される液晶ユニット５が赤に対応し、信号線Ｓ２、Ｓ５、Ｓ８、・・・に接続される液晶ユニット５が緑に対応し、信号線Ｓ３、Ｓ６、Ｓ９、・・・に接続される液晶ユニット５が青に対応する例について示したが、使用するカラーフィルタによっては、同じ信号線Ｓに接続される液晶ユニットが表示する色が全て同じ色とならない場合がある。このような場合には、同じ画素内では色の順番が変わらないように、セレクタ回路８内のスイッチＳＷをオンにする順番を決定することで、駆動回路６の同じ出力端子に接続された複数のカラー画素４の同じ色を表示する液晶ユニット５が表示する階調レベルが同じにして、色誤差を抑制することができる。
【００６６】
第１及び第２実施形態例では、液晶表示装置が列反転で駆動される例について示したが、これに代えて、液晶表示装置をフレーム反転で駆動してもよい。また、第３実施形態例では、奇数行と偶数行において、同じ順序で階調信号を書き込む例について示したが、これに代えて、奇数行と偶数行とにおいて、階調信号の書き込み順を変える構成を採用することもできる。例えば、各フレームにおいて、奇数行目の階調信号の書き込み順が、画素Ａ、画素Ｂの順であるときには、偶数行目の階調信号の書き込み順を、画素Ｂ、画素Ａの順にする。具体的には、例えば図９及び図１０において、２行目の走査線Ｇ２のＨレベル期間では、スイッチＳＷを、ＳＷ４、ＳＷ５、ＳＷ６、ＳＷ１、ＳＷ２、ＳＷ３の順にオンにする。この場合には、液晶表示装置１００ｂを、カラー画素４ごとに液晶に印加する電界の極性を反転させる画素反転で駆動することができる。
【００６７】
以上、本発明をその好適な実施形態例に基づいて説明したが、本発明の液晶表示装置及びその駆動方法は、上記実施形態例にのみ限定されるものではなく、上記実施形態例の構成から種々の修正及び変更を施したものも、本発明の範囲に含まれる。
【図面の簡単な説明】
【００６８】
【図１】本発明の第１実施形態例の液晶表示装置の構成を示すブロック図。
【図２】駆動回路６の構成を示すブロック図。
【図３】駆動回路６の一部の構成を示すブロック図。
【図４】Ｎフレーム目における液晶表示装置１００の駆動を示すタイミングチャート。
【図５】Ｎ＋２フレーム目における液晶表示装置１００の駆動を示すタイミングチャート。
【図６】（ａ）及び（ｂ）は、それぞれ、コモン電極と画素電極の電位変化を示すタイミングチャート。
【図７】Ｎフレーム目における本発明の第２実施形態例の液晶表示装置１００ａの駆動を示すタイミングチャート。
【図８】Ｎ＋２フレーム目における液晶表示装置１００ａの駆動を示すタイミングチャート。
【図９】Ｎフレーム目における本発明の第３実施形態例の液晶表示装置１００ｂの駆動を示すタイミングチャート。
【図１０】Ｎ＋１フレーム目における液晶表示装置１００ｂの駆動を示すタイミングチャート。
【図１１】特許文献１に記載された従来の液晶表示装置を示すブロック図。
【図１２】特許文献２に記載された従来の液晶表示装置を示すブロック図。
【図１３】一般的なコモン電極ドライバの構成を示す回路図。
【図１４】コモン電極の電位変化の様子を示すタイミングチャート。
【図１５】（ａ）及び（ｂ）は、それぞれ、コモン電極と画素電極の電位変化を示すタイミングチャート。
【符号の説明】
【００６９】
１００：液晶表示装置
５：液晶ユニット
６：駆動回路
７：コモン電極
８：セレクタ回路
１０：コントローラ
１１：シフトレジスタ
１２：データラッチ部
１３：選択部
１４：Ｄ／Ａ変換部
１５：コモン電極制御部
２１：データ保持部
２２：ラッチ回路
３１：選択回路
３２：マルチプレクサ
３３：ラッチ回路
３４：セレクタ
４１：Ｄ／Ａ変換器
Ｇ：走査線
Ｓ：信号線
【図１】
2005141169.tif 000003
【図２】
2005141169.tif 000004
【図３】
2005141169.tif 000005
【図４】
2005141169.tif 000006
【図５】
2005141169.tif 000007
【図６】
2005141169.tif 000008
【図７】
2005141169.tif 000009
【図８】
2005141169.tif 000010
【図９】
2005141169.tif 000011
【図１０】
2005141169.tif 000012
【図１１】
2005141169.tif 000013
【図１２】
2005141169.tif 000014
【図１３】
2005141169.tif 000015
【図１４】
2005141169.tif 000016
【図１５】
2005141169.tif 000017